【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
実体がある範囲の決定規則を用いてリアルタイム又はバッチベースで消費者からの申請を評価し、資産が担保として用いられる資金融通のため金融実体と金融協定を結ぶことができるようにするデータ処理システムであって、前記実体の最終的な目的は、これらの申請を受理又は棄却することであり、前記システムが、
（ｉ）前記消費者及び申請される資金融通の両方に関するデータが入力される少なくとも１つのデータ入力端末と、
（ｉｉ）前記入力端末又は前記入力端末の各々に接続されるデータ処理手段と、
（ｉｉｉ）前記データ処理手段に接続され、前記金融実体の金融ポートフォリオを集合的に特徴付ける、現在までに受理された前記申請に関する初期ポートフォリオデータと、前記ポートフォリオの所望の特徴に関する必要データとの両方を含むデータ記憶手段と、を備え、
前記データ処理手段が、前記申請が受理された場合に前記入力データ及び前記ポートフォリオデータを併合して前記ポートフォリオを表す修正ポートフォリオデータを生成し、前記修正ポートフォリオデータを前記必要データと比較して、前記必要データと前記修正ポートフォリオデータとの間の差が前記必要データと前記初期ポートフォリオデータとの間の差よりも小さい場合にのみ前記申請を受理する信号を送信する、
ことを特徴とするシステム。
【請求項２】
前記金融協定は、
（ｉ）前記金融実体が前記消費者に対して前記資産の価値の第１のパーセンテージに等しい資金を融資すること、及び
（ｉｉ）少なくとも１つの予め設定された状態が生じた場合には、前記消費者が、前記資金の融資に前記担保資産の価値の何らかの増加の第２のパーセンテージをプラスしたもの、又は前記担保資産の価値の何らかの減少の第３のパーセンテージを差し引いたものを前記金融実体に返済することを引き受けること、及び／又は
（ｉｉｉ）前記消費者が、前記資金の融資プラス前記第２のパーセンテージ又はマイナス前記第３のパーセンテージ、プラス前記担保資産の価値の第４のパーセンテージを前記金融協定の期間全体にわたり経常ベースで前記金融実体に返済することを引き受けること、及び／又は
（ｉｖ）前記消費者が、前記資金の融資プラス前記第２のパーセンテージ又はマイナス前記第３のパーセンテージ、プラス標準変動金利又は固定金利に関する補足的支払いを前記金融協定の期間全体にわたり経常ベースで前記金融実体に返済することを引き受けることと、及び／又は
（ｖ）前記金融実体が、前記担保資産になされた改良の価値を相殺することにより前記消費者に補償することを引き受けること、及び／又は
（ｖｉ）前記消費者が、前記金融実体に対する優先権の低い金融協定の価値を保持する式／（ｅ）に基づきあらゆる優先権の高い金融協定に借換えることを可能にする条項と、を含むことを特徴とする請求項１に記載のシステム。
【請求項３】
前記第２のパーセンテージが、前記第３のパーセンテージよりも大きいか又は小さいことを特徴とする請求項２に記載のシステム。
【請求項４】
前記第３のパーセンテージが、ゼロに等しいことを特徴とする請求項２に記載のシステム。
【請求項５】
前記第１及び第３のパーセンテージが等しいことを特徴とする請求項２に記載のシステム。
【請求項６】
前記第２及び第３のパーセンテージが、予め設定された状態に従って変動することを特徴とする請求項２に記載のシステム。
【請求項７】
前記予め設定された状態が、予め設定された経済的条件の達成又は予め設定された時間の満了からなるグループから選択されることを特徴とする請求項６に記載のシステム。
【請求項８】
前記第２及び第３のパーセンテージが、予め設定された時間又は状態に到達するまで固定されることを特徴とする請求項２に記載のシステム。
【請求項９】
前記予め設定された状態が、予め設定された経済的条件の達成又は予め設定された時間の満了からなるグループから選択されることを特徴とする請求項８に記載のシステム。
【請求項１０】
前記第１のパーセンテージ、前記第２のパーセンテージ、及び前記第３のパーセンテージの比が、１：２：１であることを特徴とする請求項２に記載のシステム。
【請求項１１】
前記第１のパーセンテージ、前記第２のパーセンテージ、及び前記第３のパーセンテージの比が、１：１：１であることを特徴とする請求項２に記載のシステム。
【請求項１２】
前記第１のパーセンテージ、前記第２のパーセンテージ、及び前記第３のパーセンテージの比が、１：１．５：０であることを特徴とする請求項２に記載のシステム。
【請求項１３】
前記予め設定された状態が、前記消費者による前記担保資産の売却であることを特徴とする請求項２に記載のシステム。
【請求項１４】
前記予め設定された状態が、予め設定された時間の満了、前記消費者の死亡、予め設定された経済的条件の達成、又は前記金融協定の期限満了前の何れかの時点での前記消費者の自発的選択からなるグループから選択されることを特徴とする請求項２に記載のシステム。
【請求項１５】
前記予め設定された時間が、あらゆる整数の月又は年からなるグループから選択されることを特徴とする請求項２に記載のシステム。
【請求項１６】
資産が担保として用いられる資金融通のため消費者から金融実体への申請をリアルタイム又はバッチベースで受理、棄却又は照会する方法であって、
（ｉ）データ記憶手段が接続されたデータ処理手段に接続されているデータ入力端末に前記消費者及び前記資金融通の両方に関するデータを入力する段階と、
（ｉｉ）前記データ記憶手段に、前記金融実体の金融ポートフォリオを集合的に特徴付ける、現在までに受理された前記申請に関する初期ポートフォリオデータと、前記ポートフォリオの所望の特徴に関する必要データとの両方を記憶する段階と、
（ｉｉｉ）前記申請が受理された場合に前記入力データ及び前記初期ポートフォリオデータを併合して前記ポートフォリオを表す修正ポートフォリオデータを生成する段階と、  （ｉｖ）前記修正ポートフォリオデータを前記必要データと比較する段階と、
（ｖ）前記必要データと前記修正ポートフォリオデータとの間の差が、前記必要データと前記初期ポートフォリオデータとの間の差よりも小さい場合にのみ前記申請を受理する段階と、
を含む方法。
【請求項１７】
前記金融協定は、
（ｉ）前記金融実体が前記消費者に対して前記資産の価値の第１のパーセンテージに等しい資金を融資すること、及び
（ｉｉ）少なくとも１つの予め設定された状態が生じた場合には、前記消費者が、前記資金の融資に前記担保資産の価値の何らかの増加の第２のパーセンテージをプラスしたもの、又は前記担保資産の価値の何らかの減少の第３のパーセンテージを差し引いたものを前記金融実体に返済することを引き受けること、及び／又は
（ｉｉｉ）前記消費者が、前記資金の融資プラス前記第２のパーセンテージ又はマイナス前記第３のパーセンテージ、プラス前記担保資産の価値の第４のパーセンテージを前記金融協定の期間全体にわたり経常ベースで前記金融実体に返済することを引き受けること、及び／又は
（ｉｖ）前記消費者が、前記資金の融資プラス前記第２のパーセンテージ又はマイナス前記第３のパーセンテージ、プラス標準変動金利又は固定金利に関する補足的支払いを前記金融協定の期間全体にわたり経常ベースで前記金融実体に返済することを引き受けることと、及び／又は
（ｖ）前記金融実体が、前記担保資産になされた改良の価値を相殺することにより前記消費者に補償することを引き受けることと、及び／又は
（ｖｉ）前記消費者が、前記金融実体に対する優先権の低い金融協定の価値を保持する式／（ｅ）に基づきあらゆる優先権の高い金融協定に借換えることを可能にする条項と、を含むことを特徴とする請求項１６に記載の方法。
【請求項１８】
前記第２のパーセンテージが、前記第３のパーセンテージよりも大きいか又は小さいことを特徴とする請求項１７に記載の方法。
【請求項１９】
前記第３のパーセンテージが、ゼロに等しいことを特徴とする請求項１７に記載の方法。
【請求項２０】
前記第１及び第３のパーセンテージが等しいことを特徴とする請求項１７に記載の方法。
【請求項２１】
前記第２及び第３のパーセンテージが、予め設定された状態に従って変動することを特徴とする請求項１７に記載の方法。
【請求項２２】
前記予め設定された状態が、予め設定された経済的条件の達成又は予め設定された時間の満了からなるグループから選択されることを特徴とする請求項２１に記載の方法。
【請求項２３】
前記第２及び第３のパーセンテージが、予め設定された時間又は状態に達するまで固定されることを特徴とする請求項１７に記載の方法。
【請求項２４】
前記予め設定された状態が、予め設定された経済的条件の達成又は予め設定された時間の満了からなるグループから選択されることを特徴とする請求項２３に記載の方法。
【請求項２５】
前記第１のパーセンテージ、前記第２のパーセンテージ、及び前記第３のパーセンテージの比が、１：２：１であることを特徴とする請求項１７に記載の方法。
【請求項２６】
前記第１のパーセンテージ、前記第２のパーセンテージ、及び前記第３のパーセンテージの比が、１：１：１であることを特徴とする請求項１７に記載の方法。
【請求項２７】
前記第１のパーセンテージ、前記第２のパーセンテージ、及び前記第３のパーセンテージの比が、１：１．５：０であることを特徴とする請求項１７に記載の方法。
【請求項２８】
前記予め設定された状態が、前記消費者による担保資産の売却であることを特徴とする請求項１７に記載の方法。
【請求項２９】
前記予め設定された状態が、予め設定された時間の満了、前記消費者の死亡、予め設定された経済的条件の達成、又は前記金融協定の期限満了前の何れかの時点での前記消費者の自発的選択からなるグループから選択されることを特徴とする請求項１７に記載の方法。
【請求項３０】
前記予め設定された時間が、あらゆる整数の月又は年からなるグループから選択されることを特徴とする請求項１７に記載の方法。